(57)【特許請求の範囲】
【請求項１】
痔疾を治療するために冷水と温水とを切り替え可能な電子式トイレであって、
水噴霧洗浄器と、
9°C以上13.2°C以下の温度の冷水を供給する冷水管と、
温水を供給する温水管と、
前記冷水管から冷水を受容及び放出する、又は、前記温水管から温水を受容及び放出する水選択弁であって、前記温水管に接続された温水入口、前記冷水管に接続された冷水入口、及び、冷水又は温水を放出する水出口を有する水選択弁と、
前記冷水管内の冷水及び/又は前記温水管内の温水が前記水噴霧洗浄器を介して噴霧されるか、されないかを切り替える切替装置と、
前記水選択弁及び切替装置を制御するコントローラと、を備え、
前記切替装置は、前記水選択弁の水出口と前記水噴霧洗浄器との間に管を介して接続されたブースターポンプであり、
前記コントローラは、
使用者から肛門洗浄の指示を受けたときに、前記冷水管または温水管が水を供給できるように前記切替装置を制御し、
前記水選択弁を制御して、前記冷水管及び/又は前記温水管からの給水中に、前記水噴霧洗浄器が交互に冷水と温水を噴霧するように、前記冷水管から冷水及び温水管から温水を交互に放出し、
前記切替装置を制御して、前記水切替弁が冷水と温水を何度も交互に放出した後、前記冷水管および温水管からの水の供給を停止することを特徴とする電子式トイレ。
【請求項２】
痔疾を治療するために冷水と温水とを切り替え可能な電子式トイレであって、
コントローラと、
水噴霧洗浄器と、
冷水タンクに接続された、冷水を供給するための冷水管と、
温水タンクに接続された、温水を供給するための温水管と、
前記冷水管に接続された水入口を有し、前記コントローラによって制御される冷水ブースターポンプと、
前記冷水ブースターポンプの水出口に接続された水入口を有し、温水が管を介して前記冷水タンクに逆流するのを防止する冷水逆止め弁と、
前記温水管に接続された水入口を有し、前記コントローラによって制御される温水ブースターポンプと、
前記温水ブースターポンプの水出口に接続された水入口を有し、冷水が管を介して前記温水タンクに逆流するのを防止する温水逆止め弁と、を備え、
前記冷水逆止め弁の水出口、及び前記温水逆止め弁の水出口は、管を介して前記水噴霧洗浄器の水入口に接続されていることを特徴とする電子式トイレ。
【請求項３】
前記冷水管及び前記温水管は、それぞれ、外部冷水源及び外部温水源に接続されていることを特徴とする、請求項２に記載の電子式トイレ。
【請求項４】
前記外部冷水源と前記温水管との間に接続されて温水を生成する水加熱装置をさらに備え、前記外部冷水源に前記冷水管が接続されていることを特徴とする、請求項３に記載の電子式トイレ。
【請求項５】
前記外部冷水源と前記温水管との間に接続されて温水を生成する水加熱装置と、
前記外部温水源と前記冷水管との間に接続されて冷水を生成する水冷却装置と、をさらに備えることを特徴とする、請求項3又は4に記載の電子式トイレ。
【請求項６】
前記水冷却装置は、
冷水を含有する冷水タンクと、
前記冷水タンクの内部又は外部に設置され、前記冷水タンク内の冷水の温度を直接又は間接的に検出するセンサと、
前記冷水タンクの内部又は外部に設置された、冷水タンク内の冷水を直接又は間接的に冷却する冷却部を有する冷却器と、を備えることを特徴とする、請求項５に記載の電子式トイレ。
【請求項７】
前記冷却器は、放熱表面及び冷却表面を有する半導体冷却板であり、前記冷却表面は、前記冷却部として、前記冷水タンク内に設置されている、又は、前記冷水タンクの外壁に固着していることを特徴とする、請求項６に記載の電子式トイレ。
【請求項８】
前記半導体冷却板の放熱表面は、前記水加熱装置に連通して、前記水加熱装置内の温水に熱を伝達することを特徴とする、請求項７に記載の電子式トイレ。
【請求項９】
前記冷水タンク内に設置され、前記半導体冷却板の冷却表面に固着した放熱フィンをさらに備えることを特徴とする、請求項７に記載の電子式トイレ。
【請求項１０】
前記冷却器は、圧縮機、蒸発器、及び復水器を備える冷却システムであり、前記蒸発器は、前記冷却部として、前記冷水タンク内に設置されている、又は、前記冷水タンクの外壁に固着していることを特徴とする、請求項６に記載の電子式トイレ。
【請求項１１】
前記水加熱装置は、
温水タンクと、
前記温水タンクの内部又は外部に設置された加熱素子と、
前記温水タンク内に設置された温度センサと、
前記温水タンク内に設置された水位スイッチと、を備えることを特徴とする、請求項１０に記載の電子式トイレ。
【請求項１２】
前記加熱素子は、前記温水タンク内に設置された、又は、前記温水タンクの外壁に固着した、前記冷却システムの復水器を含むことを特徴とする、請求項１１に記載の電子式トイレ。
【請求項１３】
前記加熱素子は、前記温水タンク内に設置された加熱管をさらに含むことを特徴とする、請求項１２に記載の電子式トイレ。
【請求項１４】
前記温水タンクに接続する管と、受水穴を有する便座に接続する管との間にヒートシンクが配置されており、前記ヒートシンクは、放熱器及び送風機を備えることを特徴とする、請求項１１に記載の電子式トイレ。
【請求項１５】
前記水選択弁は、
前記冷水入口、前記温水入口、及び前記水出口を有する弁本体と、
前記弁本体内に設置された電動開閉部品であって、前記コントローラに制御されて、前記冷水入口を閉鎖する時に前記温水入口を開放する、又は、前記温水入口を閉鎖する時に前記冷水入口を開放する電動開閉部品と、を備えることを特徴とする、請求項１に記載の電子式トイレ。
【請求項１６】
前記水選択弁は、
前記冷水入口、前記温水入口、及び前記水出口を有する弁本体と、
前記弁本体内に設置された電動開閉部品であって、前記コントローラに制御されて、前記冷水入口の開口を拡大する時に前記温水入口の開口を縮小する、又は、前記冷水入口の開口を縮小する時に前記温水入口の開口を拡大して、前記出口の水温を制御する電動開閉部品と、を備えることを特徴とする、請求項１に記載の電子式トイレ。
【請求項１７】
前記電動開閉部品は、
前記弁本体に設置され、前記コントローラによって制御される駆動素子と、
前記弁本体の穴に設置され、前記駆動素子によって駆動されるバルブスプールと、を備え、前記バルブスプールは、前記冷水入口又は前記温水入口を閉鎖する閉鎖部を有していることを特徴とする、請求項１５又は１６に記載の電子式トイレ。
【請求項１８】
痔疾を治療するために冷水と温水とを切り替え可能な電子式トイレを制御する方法であって、前記電子式トイレは、冷水を供給する冷水管と、温水を供給する温水管と、前記冷水管及び前記温水管からの水の供給を選択する水選択弁と、前記冷水管内の冷水又は前記温水管内の温水が水噴霧洗浄器を介して噴霧されるように制御する切替装置と、前記水選択弁から供給された温水又は冷水で肛門を洗浄する水噴霧洗浄器と、前記水選択弁及び切替装置を制御するコントローラと、を備え、
前記方法は、以下の各ステップを含む。
ユーザからの洗浄命令を受信すると、前記コントローラが、前記冷水管から供給された冷水の温度を得るステップ
前記コントローラが、得られた冷水の温度に応じて、前記切替装置の開放時間及び閉鎖時間を決定するステップ
前記コントローラが、決定された前記切替の開放時間に応じて前記切替装置が開放されるように制御して、前記冷水管からの冷水が前記水噴霧洗浄器から噴霧されることを可能にするステップ
前記切替装置の開放時間が経過した後に、前記コントローラが、決定された前記切替装置の閉鎖時間に応じて前記切替装置を閉鎖させて、冷水又は温水が前記水噴霧洗浄器から噴霧されないようにするステップ
【請求項１９】
前記コントローラが、得られた冷水の温度に応じて、前記切替装置の開放時間及び閉鎖時間を決定する前記ステップは、
前記コントローラが、温度センサからの冷水温度の検出に関する情報に基づいて、冷水の温度を得るステップと、
前記コントローラが、前記冷水の温度に対応する前記切替装置の開放時間及び閉鎖時間を、予め記憶された、水温、並びに、前記切替装置の開放時間及び閉鎖時間の対応関係を含む対応リストを調べることによって決定するステップと、を含む、請求項１８に記載の方法。
【請求項２０】
前記冷水の温度が低いほど、前記切替装置の開放時間及び閉鎖時間は短い、請求項１９に記載の方法。
【請求項２１】
前記冷水の温度は、０℃以上かつ４３℃以下である、請求項２０に記載の方法。
【請求項２２】
前記対応リストにおける、水温、並びに、前記切替装置の開放時間及び閉鎖時間の対応関係は、以下の通りである、請求項１９に記載の方法。
冷水の温度（℃）         切替装置の開放時間（Ｓ） 切替装置の閉鎖時間（Ｓ）
０−７．９               ５±１０％               ２±１０％
８−９．９               ６±１０％               ３±１０％
１０−１１．９           ７±１０％               ４±１０％
１２−１３．９           ８±１０％               ５±１０％
１４−１５．９           ９±１０％               ５±１０％
１６−１７．９           １０±１０％             ５±１０％
１８−４３               １５±１０％             ５±１０％
【請求項２３】
前記切替装置は、前記水選択弁の水出口と前記水噴霧洗浄器との間に管を介して接続されたブースタポンプであり、前記切替装置の開放時間は前記ブースタポンプの動作時間であり、前記切替装置の閉鎖時間は前記ブースタポンプの停止時間である、請求項１８〜２２のいずれか１項に記載の方法。
【請求項２４】
痔疾を治療するために冷水と温水とを切り替え可能な電子式トイレを制御する方法であって、前記電子式トイレは、9°C以上13.2°C以下の温度の冷水を供給する冷水管と、温水を供給する温水管と、前記冷水管及び前記温水管からの水の供給を選択する水選択弁と、前記冷水管内の冷水又は前記温水管内の温水が水噴霧洗浄器を介して噴霧されるように制御する切替装置と、前記水選択弁から供給された温水又は冷水で肛門を洗浄する水噴霧洗浄器と、前記水選択弁を制御するコントローラと、を備え、
前記切替装置は、前記水選択弁の水出口と前記水噴霧洗浄器との間に管を介して接続されたブースターポンプであり、
前記方法は、以下の各ステップを含む。
ユーザからの肛門洗浄命令を受信すると、前記コントローラが前記切替装置を制御して、前記冷水管及び／又は前記温水管が水を供給することを可能にするステップ
前記冷水管及び／又は前記温水管から水を供給している間に、前記コントローラが前記水選択弁を制御して、前記冷水管からの冷水及び前記温水管からの温水を交互に放出させることにより、前記水噴霧洗浄器が冷水及び温水を交互に噴霧するステップ
前記水選択弁が冷水及び温水を交互に放出することを複数回行った後に、前記コントローラが前記切替装置を制御して、前記冷水管及び前記温水管の水の供給を停止させるステップ
【請求項２５】
前記コントローラが前記切替装置を制御する前記ステップは、
前記肛門洗浄命令に従い、前記コントローラが、前記水選択弁を制御して前記冷水管から冷水を受容及び放出させると共に、前記洗浄器を制御して延伸させるステップと、
前記洗浄器が延伸した後に、前記コントローラが、前記ブースタポンプに増圧動作を行わせ、前記冷水が前記水噴霧洗浄器を介して噴霧されるようにするステップと、を含む、請求項２４に記載の方法。
【請求項２６】
前記冷水管及び／又は前記温水管から水を供給している間に、前記コントローラが前記水選択弁を制御して、冷水及び温水を交互に放出させる前記ステップは、具体的には、
冷水が前記水噴霧洗浄器から噴霧されると、前記コントローラがタイマーを開始するステップと、
前記タイマーの時間満了情報に基づき、前記コントローラが前記水選択弁を制御して前記冷水管を分離すると共に前記温水管を接続して、前記温水管から温水が前記水噴霧洗浄器を介して噴霧されることを可能にするステップと、
温水が前記水噴霧洗浄器を介して噴霧されると、前記コントローラが前記タイマーを再び開始し、前記タイマーの時間満了情報に基づき、前記水選択弁を制御して前記冷水管からの冷水を受容及び放出させて、前記冷水が前記水噴霧洗浄器から噴霧されることを可能にするステップと、を含み、
これによって、冷水及び温水が前記水噴霧洗浄器を介して交互に噴霧される、請求項２４に記載の方法。
【請求項２７】
前記冷水管によって水冷却装置からの冷水が供給される時に、前記コントローラが、冷水タンク内に設置された温度センサによって前記冷水タンク内の冷水の温度を検出し、検出結果に基づき、冷却器を制御して前記冷水タンク内の水を冷却する、請求項１６又は２４に記載の方法。
【請求項２８】
前記コントローラが、検出結果に基づき、冷却器を制御して前記冷水タンク内の水を冷却することは、具体的には、
検出された冷水の温度が、第１の温度よりも低いかどうかを判定するステップと、
前記冷水の温度が前記第１の温度よりも低い場合に、前記冷却器の冷却動作を停止させるステップと、
前記冷水の温度が前記第１の温度よりも高い場合に、前記冷水の温度が第２の温度よりも高いかどうかを判定するステップと、
前記冷水の温度が前記第２の温度よりも低い場合に、前記冷却器の冷却動作を停止させるステップと、
前記冷水の温度が前記第２の温度よりも高い場合に、前記冷却器に冷却動作を行わせるステップと、を含む、請求項２７に記載の方法。
【請求項２９】
前記第１の温度は１０±１０％℃であり、前記第２の温度は、１２±１０％℃である、請求項２８に記載の方法。
【発明の詳細な説明】
【技術分野】
【０００１】
本発明は、電子式トイレの技術分野に関し、詳細には、痔疾を治療するための電子式トイレ及びその制御方法に関する。
【背景技術】
【０００２】
既存の電子式トイレは、直腸洗浄、肛門洗浄、及び女性器洗浄を行うことができ、このトイレから放出される水は、温水タンクから供給される。温水タンクは、循環水ポンプや便座と共に循環水路を形成しており、洗浄水の温度は、温水タンクの加熱管の動作を制御することによって得られる。ユーザにより水温が高温から低温に調節される場合、このような温度低下は、このシステムにより、まず温水タンク内の高温水をスプレー棒から放出し冷水を補給した後、又は、温水タンクの水が自然冷却された後にのみ行われる。いずれの方法も、水温を急激に低下させることはできない。
【発明の開示】
【発明が解決しようとする課題】
【０００３】
本発明の第１の目的は、冷水と温水とを切り替え可能な電子式トイレを提供することにある。
【０００４】
本発明の第２の目的は、冷水と温水とを切り替え可能な電子式トイレの制御方法を提供することにある。
【課題を解決するための手段】
【０００５】
本発明における、冷水と温水とを切り替え可能な第１の電子式トイレは、痔疾を治療するために冷水と温水とを切り替え可能な電子式トイレであって、
水噴霧洗浄器と、
9°C以上13.2°C以下の温度の冷水を供給する冷水管と、
温水を供給する温水管と、
前記冷水管から冷水を受容及び放出する、又は、前記温水管から温水を受容及び放出する水選択弁であって、前記温水管に接続された温水入口、前記冷水管に接続された冷水入口、及び、冷水又は温水を放出する水出口を有する水選択弁と、
前記冷水管内の冷水及び/又は前記温水管内の温水が前記水噴霧洗浄器を介して噴霧されるか、されないかを切り替える切替装置と、
前記水選択弁及び切替装置を制御するコントローラと、を備え、
前記切替装置は、前記水選択弁の水出口と前記水噴霧洗浄器との間に管を介して接続されたブースターポンプであり、
前記コントローラは、
使用者から肛門洗浄の指示を受けたときに、前記冷水管または温水管が水を供給できるように前記切替装置を制御し、
前記水選択弁を制御して、前記冷水管及び/又は前記温水管からの給水中に、前記水噴霧洗浄器が交互に冷水と温水を噴霧するように、前記冷水管から冷水及び温水管から温水を交互に放出し、
前記切替装置を制御して、前記水切替弁が冷水と温水を何度も交互に放出した後、前記冷水管および温水管からの水の供給を停止する。
【０００８】
本発明における、冷水と温水とを切り替え可能な第２の電子式トイレは、痔疾を治療するために冷水と温水とを切り替え可能な電子式トイレであって、
コントローラと、
水噴霧洗浄器と、
冷水タンクに接続された、冷水を供給するための冷水管と、
温水タンクに接続された、温水を供給するための温水管と、
前記冷水管に接続された水入口を有し、前記コントローラによって制御される冷水ブースターポンプと、
前記冷水ブースターポンプの水出口に接続された水入口を有し、温水が管を介して前記冷水タンクに逆流するのを防止する冷水逆止め弁と、
前記温水管に接続された水入口を有し、前記コントローラによって制御される温水ブースターポンプと、
前記温水ブースターポンプの水出口に接続された水入口を有し、冷水が管を介して前記温水タンクに逆流するのを防止する温水逆止め弁と、を備え、
前記冷水逆止め弁の水出口、及び前記温水逆止め弁の水出口は、管を介して前記水噴霧洗浄器の水入口に接続されている。
【００１０】
好ましくは、上記冷水管及び上記温水管は、それぞれ、外部冷水源及び外部温水源に接続されている。
【００１１】
好ましくは、前記冷水管が、前記外部冷水源に接続されている、又は、非冷却冷水タンクを介して外部水源に接続されており、前記温水管は、温水を生成する水加熱装置を介して外部水源に接続されている。
【００１３】
好ましくは、本発明の前記水冷却装置は、冷水を含有する冷水タンクと、前記冷水タンクの内部又は外部に設置され、前記冷水タンク内の冷水の温度を直接又は間接的に検出するセンサと、前記冷水タンクの内部又は外部に設置された、冷水タンク内の冷水を直接又は間接的に冷却する冷却部を有する冷却器と、を含む。
【００１４】
好ましくは、前記冷却器は、放熱表面及び冷却表面を有する半導体冷却板であり、前記冷却表面は、前記冷却部として、前記冷水タンク内に設置されている、又は、前記冷水タンクの外壁に押し付けられている。前記半導体冷却板の放熱表面は、前記水加熱装置に連通して、前記水加熱装置内の温水に熱を伝達する。
【００１５】
好ましくは、前記冷却器は、前記冷水タンク内に設置され前記半導体冷却板の冷却表面に押し付けられた冷熱エネルギー伝導用の放熱フィンをさらに含む。
【００１６】
好ましくは、前記冷却器は、圧縮機、蒸発器、及び復水器を備える冷却システムであり、前記蒸発器は、前記冷却部として、前記冷水タンク内に設置されている、又は、前記冷水タンクの外壁に押し付けられている。
【００１７】
好ましくは、前記水加熱装置は、温水タンクと、前記温水タンクの内部又は外部に設置された加熱素子と、前記温水タンク内に設置された温度センサと、前記温水タンク内に設置された水位スイッチと、を備える。
【００１８】
好ましくは、前記加熱素子は、前記温水タンク内に設置された、又は、前記温水タンクの外壁に押し付けられた前記冷却システムの復水器を含む。これに加えて、前記加熱素子は、前記温水タンク内に設置された加熱管をさらに含んでいてもよい。
【００１９】
好ましくは、前記温水タンクに接続する管と、受水穴を有する便座に接続する管との間にヒートシンクが配置されており、前記ヒートシンクは、放熱器及び送風機を備えている。
【００２０】
好ましくは、前記水選択弁は、前記冷水入口、前記温水入口、及び前記水出口を有する弁本体と、前記弁本体内に設置された電動開閉部品であって、前記コントローラに制御されて、前記冷水入口を閉鎖する時に前記温水入口を開放する、又は、前記温水入口を閉鎖する時に前記冷水入口を開放する電動開閉部品と、を備える。
【００２１】
好ましくは、前記水選択弁は、前記冷水入口、前記温水入口、及び前記水出口を有する弁本体と、前記弁本体内に設置された電動開閉部品であって、前記コントローラに制御されて、前記冷水入口を閉鎖する時に前記温水入口を開放する、又は、前記温水入口を閉鎖する時に前記冷水入口を開放する電動開閉部品と、を備える。前記電動開閉部品は、前記弁本体に設置され、前記コントローラによって制御される駆動素子と、前記弁本体の穴に設置され、前記駆動素子によって駆動されるバルブスプールと、を備える。前記バルブスプールは、前記冷水入口又は前記温水入口を閉鎖する閉鎖部を有している。
【００２２】
本発明は、冷水と温水とを切り替え可能な電子式トイレの２つの制御方法を提供する。第１の方法が適用可能な電子式トイレは、冷水を供給する冷水管と、温水を供給する温水管と、前記冷水管及び前記温水管からの水の供給を選択する水選択弁と、前記冷水管内の冷水又は前記温水管内の温水が水噴霧洗浄器を介して噴霧されるように制御する切替装置と、水選択弁及び切替装置を制御するコントローラと、を備え、前記水噴霧洗浄器は、前記水選択弁から供給された温水又は冷水で肛門を洗浄する。
【００２３】
本発明の冷水と温水とを切り替え可能な電子式トイレの第１の制御方法は、
ユーザからの洗浄命令を受信すると、前記コントローラが、前記冷水管から供給された冷水の温度を得るステップと、
前記コントローラが、得られた冷水の温度に応じて、前記切替装置の開放時間及び閉鎖時間を決定するステップと、
前記コントローラが、決定された前記切替の開放時間に応じて前記切替装置が開放されるように制御して、前記冷水管からの冷水が前記水噴霧洗浄器から噴霧されることを可能にするステップと、
前記切替装置の開放時間が経過した後に、前記コントローラが、決定された前記切替装置の閉鎖時間に応じて前記切替装置を閉鎖させて、冷水又は温水が前記水噴霧洗浄器から噴霧されないようにするステップと、を含む。
【００２４】
好ましくは、前記コントローラが、得られた冷水の温度に応じて、前記切替装置の開放時間及び閉鎖時間を決定する前記ステップは、
前記コントローラが、温度センサからの冷水温度の検出に関する情報に基づいて、冷水の温度を得るステップと、
前記コントローラが、前記冷水の温度に対応する前記切替装置の開放時間及び閉鎖時間を、予め記憶された、水温、並びに、前記切替装置の開放時間及び閉鎖時間の対応関係を含む対応リストを調べることによって決定するステップと、を含む。
【００２５】
好ましくは、前記冷水の温度が低いほど、前記切替装置の開放時間及び閉鎖時間は短い。
【００２６】
好ましくは、冷水の温度は、０℃以上かつ４３℃以下である。
【００２７】
好ましくは、前記対応リストにおける、水温、並びに、前記切替装置の開放時間及び閉鎖時間の対応関係は、以下の通りである。
冷水の温度（℃）         切替装置の開放時間（Ｓ） 切替装置の閉鎖時間（Ｓ）
０−７．９               ５±１０％               ２±１０％
８−９．９               ６±１０％               ３±１０％
１０−１１．９           ７±１０％               ４±１０％
１２−１３．９           ８±１０％               ５±１０％
１４−１５．９           ９±１０％               ５±１０％
１６−１７．９           １０±１０％             ５±１０％
１８−４３               １５±１０％             ５±１０％
【００２８】
好ましくは、前記切替装置は、前記水選択弁の水出口と前記水噴霧洗浄器との間に管を介して接続されたブースタポンプであり、前記切替装置の開放時間は前記ブースタポンプの動作時間であり、前記切替装置の閉鎖時間は前記ブースタポンプの停止時間である。
【００２９】
本発明の第２の方法が適用可能な電子式トイレは、９℃以上１３．２℃以下の温度の冷水を供給する冷水管と、温水を供給する温水管と、前記冷水管及び／又は前記温水管が水を供給するように制御する切替装置と、前記冷水管及び前記温水管からの水の供給を選択する水選択弁と、前記水選択弁によって選択された温水又は冷水で肛門を洗浄する水噴霧洗浄器と、前記水選択弁及び前記切替装置を制御するコントローラと、を含み、
さらに前記切替装置は、前記水選択弁の水出口と前記水噴霧洗浄器との間に管を介して接続されたブースタポンプである。
【００３０】
本発明の冷水と温水とを切り替え可能な電子式トイレの第２の制御方法は、
ユーザからの肛門洗浄命令を受信すると、前記コントローラが前記切替装置を制御して、前記冷水管及び／又は前記温水管が水を供給することを可能にするステップと、
前記冷水管及び／又は前記温水管から水を供給している間に、前記コントローラが前記水選択弁を制御して、前記冷水管からの冷水及び前記温水管からの温水を交互に放出させることにより、前記水噴霧洗浄器が冷水及び温水を交互に噴霧するステップと、
前記水選択弁が冷水及び温水を交互に放出することを複数回行った後に、前記コントローラが前記切替装置を制御して、前記冷水管及び前記温水管の水の供給を停止させるステップと、を含む。
【００３２】
好ましくは、ユーザからの肛門洗浄命令を受信すると、前記コントローラは、前記切替装置を制御することによって、前記冷水管及び／又は前記温水管が水を供給することを可能にする。
【００３３】
好ましくは、ユーザからの肛門洗浄命令を受信すると、前記コントローラが前記切替装置を制御して、前記冷水管及び／又は前記温水管が水を供給することを可能にする前記ステップは、
前記肛門洗浄命令に従い、前記コントローラが、前記水選択弁を制御して前記冷水管から冷水を受容及び放出させると共に、前記洗浄器を制御して延伸させるステップと、
前記洗浄器が延伸した後に、前記コントローラが、前記ブースタポンプに増圧動作を行わせ、前記冷水が前記水噴霧洗浄器を介して噴霧されるようにするステップと、を含む。
【００３４】
好ましくは、前記冷水管及び／又は前記温水管から水を供給している間に、前記コントローラが前記水選択弁を制御して、冷水及び温水を交互に放出させるステップは、具体的には、
冷水が前記水噴霧洗浄器から噴霧されると、前記コントローラがタイマーを開始するステップと、
前記タイマーの時間満了情報に基づき、前記コントローラが前記水選択弁を制御して前記冷水管を分離すると共に前記温水管を接続して、前記温水管から温水が前記水噴霧洗浄器を介して噴霧されることを可能にするステップと、
温水が前記水噴霧洗浄器を介して噴霧されると、前記コントローラが前記タイマーを再び開始し、前記水選択弁を制御して前記冷水管からの冷水を受容及び放出させて、前記冷水が前記水噴霧洗浄器から噴霧されることを可能にするステップと、を含み、これによって、冷水及び温水が前記水噴霧洗浄器を介して交互に噴霧される。
【００３５】
好ましくは、前記冷水管によって水冷却装置からの冷水が供給される時に、前記コントローラが、冷水タンク内に設置された温度センサによって前記冷水タンク内の冷水の温度を検出し、検出結果に基づき、冷却器を制御して前記冷水タンク内の水を冷却する。
【００３６】
好ましくは、前記コントローラが、検出結果に基づき、冷却器を制御して前記冷水タンク内の水を冷却することは、具体的には、
検出された冷水の温度が、第１の温度よりも低いかどうかを判定するステップと、
前記冷水の温度が前記第１の温度よりも低い場合に、前記冷却器の冷却動作を停止させるステップと、
前記冷水の温度が前記第１の温度よりも高い場合に、前記冷水の温度が第２の温度よりも高いかどうかを判定するステップと、
前記冷水の温度が前記第２の温度よりも低い場合に、前記冷却器の冷却動作を停止させるステップと、
前記冷水の温度が前記第２の温度よりも高い場合に、前記冷却器に冷却動作を行わせるステップと、を含む。
【００３７】
好ましくは、第１の温度は、１０±１０％℃であり、第２の温度は１２±１０％℃である。
【発明の効果】
【００３８】
本発明は、以下の利点を有している。
１）冷水と温水との迅速な切り替えを実現可能である。
２）冷水を利用して、又は、冷水と温水とを交互に利用して肛門を洗浄すると、痔疾による苦痛を緩和することが可能である。
３）冷水を利用して、又は、冷水と温水とを交互に利用して肛門を長時間洗浄するならば、痔疾への良好な治療効果が得ることが可能である。
【図面の簡単な説明】
【００３９】
【図１】本発明の実施形態１に係る内部に配置された水冷却装置の概略構成図である。
【図２】本発明の実施形態１に係る外部に配置された水冷却装置の概略構成図である。
【図３】本発明の実施形態２の概略構成図である。
【図４】本発明の実施形態１の管接続図である。
【図５】本発明の実施形態２の管接続図である。
【図６】本発明の実施形態３の概略構成図である。
【図７】本発明の実施形態３の管接続図である。
【図８】本発明の実施形態４の概略構成図である。
【図９】本発明の実施形態４の管接続図である。
【図１０】本発明の実施形態５の概略構成図である。
【図１１】本発明の実施形態５の管接続図である。
【図１２】本発明の実施形態６の概略構成図である。
【図１３】本発明の実施形態６の管接続図である。
【図１４】水選択弁の第１の概略構成図である。
【図１５】水選択弁の第２の概略構成図である。
【図１６】本発明の実施形態７の概略構成図である。
【図１７】本発明の実施形態７の管接続図である。
【図１８】本発明の実施形態８の概略構成図である。
【図１９】本発明の実施形態８の管接続図である。
【図２０】本発明の実施形態９の概略構成図である。
【図２１】本発明の実施形態９の管接続図である。
【図２２】本発明の実施形態１０の概略構成図である。
【図２３】本発明の実施形態１０の管接続図である。
【発明を実施するための形態】
【００４０】
本明細書で使用されるような「上部」、「底部」、「左」、「右」、「上方」、「下方」、「左側に」、「右側に」等は、方向を表す用語であり、添付の図面において示される、非限定的な向きに関する説明であることを理解されたい。本明細書で使用される「内側に」、「外側に」、「内側の」、「外側の」、「内部」、及び「外部」という用語は、他に記載のない限り、部材の中心に対する範囲を意味するものである。例えば、原動機の軸に関して「内側の」及び「内部」は、原動機の軸に近づく又は指す位置又は向きを意味する用語である。「外側の」及び「外部」は、原動機の中心位置からさらに離れていることを意味する用語である。加えて、「水平な」、「垂直な」、及び「張り出した」という用語は、必ずしも、部材が水平であること、又は張り出していることを要求していることを意味するものではなく、わずかに傾いていても良い。例えば「水平な」とは、単に、この方向が「垂直」よりも水平であることを意味し、この構造が完全に水平である必要があることを意味せず、わずかに傾いていてよい。
【００４１】
図１〜図７を参照すると、本発明に係る冷水と温水とを切り替え可能な電子式トイレ１００は、コントローラ１１２と、水噴霧洗浄器１０２と、冷水を供給する冷水管１と、温水を供給する温水管２と、冷水管２に配置された冷水電磁弁１０４と、温水管２に配置された温水電磁弁１１１と、ブースタポンプ１０３とを備え、ブースタポンプ１０３は、冷水電磁弁１０４の水出口及び温水電磁弁１１１の水出口に連通する水入口と、洗浄器に接続された水出口とを有している。
【００４２】
図８、図９、図１２、及び図１３、並びに、図１６〜図２３を参照すると、本発明に係る冷水と温水とを切り替え可能な他の電子式トイレは、コントローラ１１２と、水噴霧洗浄器１０２と、冷水を供給する冷水管１と、温水を供給する温水管２と、コントローラ１０２の制御により冷水管１から冷水を受容及び放出、又は、温水管２から温水を受容及び放出する水選択弁と、冷水管の冷水、及び／又は、温水管の温水が水噴霧洗浄器を介して噴霧されるように制御する切替装置とを備えている。水選択弁は、温水管２に接続された温水入口と、冷水管に接続された冷水入口と、冷水又は温水を放出する水出口とを有している。
【００４３】
好ましくは、切替装置は、水選択弁の水出口と水噴霧洗浄器との間に管を介して接続されたブースタポンプ１０３、又は、冷水管及び／又は温水管に接続／分離する水入口弁４０６である。
【００４４】
図１０及び図１１を参照すると、本発明の冷水と温水とを切り替え可能なさらに他の電子式トイレは、コントローラ１１２と、水噴霧洗浄器１０２と、冷水を供給する冷水管１と、温水を供給する温水管２と、冷水管に接続されコントローラによって制御される冷水用一方通行ブースタポンプユニット１１６〜１１７と、温水管に接続されコントローラによって制御された温水用一方通行ブースタポンプユニット１１８〜１１９と、を備え、水噴霧洗浄器１０２は、冷水用一方通行ブースタポンプユニットの水出口及び温水用一方通行ブースタポンプユニットの水出口に連通している。
【００４５】
図１０及び図１１を参照すると、上述の冷水用一方通行ブースタポンプユニットは、水入口が冷水出口管に接続されコントローラで制御される冷水ブースタポンプ１１６と、水入口が冷水ブースタポンプの水出口に接続された冷水逆止め弁１１７と、を含む。上述の温水用一方通行ブースタポンプユニットは、水入口が温水出口管に接続されコントローラで制御される温水ブースタポンプ１１９と、水入口が温水ブースタポンプの水出口に接続された温水逆止め弁１１８と、を含む。ここで、冷水逆止め弁の水出口及び温水逆止め弁の水出口は、管を介して水噴霧洗浄器の水入口に接続されている。
【００４６】
図２０及び図２１を参照すると、上述の冷水管１及び温水管２は、それぞれ、外部冷水源及び外部温水源に接続されている。
【００４７】
図５、図１８、及び図１９を参照すると、上述の冷水管１は、外部冷水源２０に接続されている、又は、非冷却冷水タンク１０５を介して外部水源に接続されており、温水管２は、温水を生成するための水加熱装置を介して外部水源に接続されている。
【００４８】
図８〜図１３、図１６、及び図１７を参照すると、本発明の電子式トイレは、外部冷水源と温水管との間に接続されて温水を生成する水加熱装置と、外部温水源と冷水管との間に接続されて冷水を生成する水冷却装置と、をさらに含む。
【００４９】
図８〜図１３、並びに、図１６及び図１７を参照すると、水冷却装置は、冷水を含有する冷水タンク２１３と、冷水タンクの内部又は外部に設置され冷水タンク内の冷水の温度を直接又は間接的に検出するセンサ２１６と、冷水タンク２１３の内部又は外部に設置された冷却部を有し、冷水タンク２１３内の冷水を冷却するように構成された冷却器２００とを、含む。
【００５０】
図８〜図１３、並びに、図１６及び図１７を参照すると、上述の冷却器は、放熱表面及び冷却表面を含む半導体冷却板２１０である。冷却表面は、冷却部として、冷水タンクの中に設置されるか、又は、冷水タンクの外壁に押し付けられている。半導体冷却板の放熱表面は、水加熱装置に連通して、水加熱装置内の温水に熱を伝達する。
【００５１】
図８〜図１３、並びに、図１６及び図１７を参照すると、上述の冷却器は、冷水タンク２１３内に設置されて半導体冷却板２１０の冷却表面に押し付けられた冷熱エネルギー伝導用の放熱フィン２１２をさらに含む。
【００５２】
図６及び図７を参照すると、冷却器は、圧縮機４０１と、蒸発器４０２と、復水器４０３とを含む冷却システムである。ここで、蒸発器は、冷却部として、冷水タンク内に設置されているか、又は、冷水タンクの外壁に押し付けられている。なお、冷却システムは、図８〜図１３、並びに、図１６及び図１７の半導体冷却板２１０に置き換えてもよい。
【００５３】
図６〜図１３、並びに、図１６及び図１７を参照すると、水加熱装置は、温水タンク２０３と、温水タンクの内部又は外部に設置された加熱素子と、温水タンク内に設置された温度センサ２１５と、温水タンク内に設置された水位スイッチ１０８とを、含む。
【００５４】
図６及び図７を参照すると、上述の加熱素子は、温水タンク内に設置され温水タンクの外壁に押し付けられた冷却システムの復水器４０３を含む。加熱素子は、さらに、温水タンク内に設置された加熱管を含んでいてもよい。
【００５５】
また、温水タンク２０３に接続する管と受水穴を有する便座に接続する管との間に、ヒートシンクが配置されている。このヒートシンクは、放熱器２０２及び送風機２０１を含む。
【００５６】
図１４−１、図１４−２、図１５−１、及び図１５−２を参照すると、上述の水選択弁は、冷水入口、温水入口、及び水出口を有する弁本体１１４．３と、弁本体の内部に設置された電動開閉部品を含む。この電動開閉部品は、コントローラによって制御されて、冷水入口を閉じる時に温水入口を開放するか、又は、温水入口を閉じる時に冷水入口を開放する。この電動開閉部品は、弁本体に設置されコントローラによって制御される駆動素子１１４．１と、弁本体の穴の中に設置され駆動素子によって駆動されるバルブスプール１１４．８とを含む。バルブスプール１１４．８は、冷水入口又は温水入口を閉鎖するための閉鎖部を含む。
【００５７】
本発明の電子式トイレの構造及び動作原理を、特定の実施形態と併せて、以下に詳細に説明する。なお、以下の実施形態１〜１０は、全て、上述の電子式トイレの構造を説明するためのものであり、電子式トイレの構造を特定の実施形態に制限するものではない。例えば、図６及び図７に示されるような実施形態３により説明される、圧縮機４０１、蒸発器４０２、及び復水器４０３を含む冷却システムは、半導体冷却板の代わりに、他の実施形態に適用可能である。
【００５８】
実施形態１
図１に示されるように、冷水と温水とを切り替え可能な電子式トイレは、コントローラ１１２と、本体１００と、本体にヒンジ連結された便座１０１と、便座カバー（図示せず）とを含む。電子式トイレは、水噴霧洗浄器１０２と、水冷却装置と、水加熱装置とを備えている。水冷却装置及び水加熱装置の水出口管には、それぞれ、電磁弁１１１及び電磁弁１０４が取り付けられている。電磁弁１１１を通る水冷却装置の水出口管は、電磁弁１０４を通る水加熱装置の水出口管に、Ｔ継手２１７により連結している。この合流管は、ブースタポンプ１０３を介して水噴霧洗浄器１０２に接続されている。電子式トイレは、無線操作器３０１の制御により、冷水と温水とを切り替え可能である。
【００５９】
水加熱装置内の加熱管１０７は省いてもよく、単に、半導体冷却板の放熱表面２１０．２の熱を利用して、温水タンク内の水を加熱してもよい。
【００６０】
図１及び図２は、冷却装置の２つの実施例を示す図であり、図１の冷却装置は本体の内部に配置されており、図２の冷却装置は本体の外部に配置されている。
【００６１】
図４に示されるように、水冷却装置は、冷水タンク２１３、半導体冷却板２１０、放熱フィン２１２、温度センサ２１６、及び水位スイッチ２１１を含む。半導体冷却板２１０の冷却表面２１０．１が、冷水タンク２１３内に設置されている。放熱フィン２１２は、半導体冷却板２１０の冷却表面２１０．１に接触して接続されている。放熱フィン２１２は、迅速な冷却を行うために、冷水タンク内の冷却表面と水との接触面積を広げるように機能する。半導体冷却板２１０の放熱表面２１０．２は、冷水継手２０９を介して水加熱装置に接続されている。水位スイッチ２１１及び温度センサ２１６は、冷水タンク２１３内に設置されている。水位スイッチ２１１は、冷水タンク２１３への水の補給を制御するように機能する。温度センサ２１６は、冷水タンク２１３内の温度を検出するように機能する。プログラムコントローラ１１２は、温度センサ２１６からの検出信号に応じて半導体冷却板２１０の動作を制御する。
【００６２】
図４に示されるように、水加熱装置は、温水タンク２０３、加熱管１０７、温度センサ２１５、及び水位スイッチ１０８を含む。冷却装置の半導体冷却板２１０の放熱表面２１０．２は、冷水継手２０９を介して水加熱装置の管に接続されている。
【００６３】
図４に示されるように、便座１０１は、受水穴、並びに、水入口及び水出口を有している。温水タンクの循環水入口２０３．２と便座１０１の接続管との間に、ヒートシンクが配置されており、このヒートシンクは、放熱器２０２及び送風機２０１を含む。放熱器２０２には、２つのポートが設けられており、一方のポートは便座１０１に接続されており、他方のポートは温水タンクに接続されている。また、放熱器２０２の外部表面には、送風機２０１が設けられている。半導体冷却板２１０が冷水タンク２１３内の温度を設定温度にするために冷却を開始すると、送風機２０１が作動して、ヒートシンクが半導体冷却板の放熱表面２１０．２から熱を迅速に除去し、これによって冷却速度を上昇させる。
【００６４】
図４に示されるように、冷水と温水とを切り替え可能な電子式トイレの管接続は、以下の通りである。すなわち、主要水入口管が、Ｔ継手２０６により２つに分岐される。一方の分岐管は、水入口弁２０７を通った後に冷水タンク２１３に入る。１つの管が、冷水タンク２１３の水出口を通った後に電磁弁１０４に接続されている。この電磁弁１０４を通る管は、Ｔ継手２１７を介して温水パイプに連結している。この合流管は、その後、ブースタポンプ１０３を通り、最終的に水噴霧洗浄器１０２に接続されている。他方の分岐管は、水入口弁１０６を通った後に温水タンク２０３に入る。温水タンクは、循環水出口２０３．１、循環水入口２０３．２、及び水噴霧洗浄器用の水入口２０３．３を有している。１つの管が、温水タンクの循環水出口２０３．１を介して循環水ポンプ１０９に接続されている。この管は、循環水ポンプ１０９を介して冷水継手２０９に接続されている。冷水継手２０９を通った後、この管は、便座１０１に連通し、その後、便座１０１の水出口１０１ｂを放熱器２０２と連通させている。この管は、放熱器２０２を通った後、循環水入口２０３．２に接続されている。この工程により、加熱便座の循環閉路が形成される。その後、この管は、温水タンク２０３の水噴霧洗浄器用の水入口２０３．３から導出され、電磁弁１０４と温水タンク２０３とを連通させている。この電磁弁１０４を通る管は、Ｔ継手２１７を通って冷水管に連結し、この合流管は、その後、ブースタポンプ１０３を通って、最終的に水噴霧洗浄器１０２に接続される。
【００６５】
動作工程において、温水タンク２０３と冷水タンク２１３がいずれも設定温度よりも低い場合、温水タンクの水が、循環水出口２０３．１及び冷水継手２０９を通過した後に、半導体冷却板の放熱表面２１０．２と接触する。この温水タンクの水は、半導体冷却板２１０の放熱表面２１０．２からの熱を利用して加熱されることが可能であり、同時に、半導体冷却板の放熱表面２１０．２から流れる水は、放熱表面２１０．２の熱を除去して、冷水タンク２１３の冷却速度を上昇させることになる。温水タンク２０３が設定温度であり、冷水タンク２１３が設定温度よりも低い場合、送風機２０１が作動して、水加熱便座の循環閉路内の放熱器２０２が、半導体冷却板の放熱表面２１０．２によって生成された熱を迅速に除去し、急冷を可能にする。この工程では、ヒートシンクによって分散された熱は、半導体冷却板２１０によって生成された熱よりも高い。
【００６６】
図１及び図２に示されるように、無線操作器３０１には、２つの機能キー、すなわち、冷水の噴霧を制御するための冷水キー３０３、及び、冷水と温水とを交互に噴霧することを制御するための冷水／温水キー３０２が備えられている。無線操作器３０１の冷水キー３０３が押下されると、電磁弁１０４が閉じられ電磁弁１１１が開かれて、冷水が水噴霧洗浄器１０２から噴霧される。冷水／温水キー３０２が押下されると、まず、電磁弁１１１を開いて電磁弁１０４を閉じるステップ（ステップ１）が行われ、その後、電磁弁１１１を閉じて電磁弁１０４を開くステップ（ステップ２）が行われる。引き続き、ステップ１及びステップ２による循環動作を行って温水と冷水との迅速な入れ替えを実現し、水噴霧洗浄器１０２から冷水と温水とが交互に噴霧されることを可能にする。冷水を用いて、又は、冷水と温水とを交互に用いて肛門を長時間洗浄するならば、痔疾に対して良好な治療効果が得られる。
【００６７】
実施形態２
図３及び図５は、それぞれ、冷水と温水とを切り替え可能な電子式トイレの実施形態２の構造図及び管接続図である。実施形態１と異なり、水タンク１０５は、本体の外部と連通する空洞であり、冷却装置、水位検知装置、温度検知装置といった電子的要素は、水タンク内には必要ない。ユーザが洗浄用の冷水を必要とする場合、冷水が、水タンク１０５の中に事前に注入される。
【００６８】
実施形態３
図６及び図７は、冷水と温水とを切り替え可能な電子式トイレの実施形態３の構造図及び管接続図である。実施形態１と異なり、半導体冷却板は、圧縮機冷却システムに置き換えられており、圧縮機冷却システムの蒸発器４０２は、放熱フィン２１２の代わりに冷却を行うために、冷水タンク２１３に浸されている。蒸発器４０２は、その冷熱エネルギーを冷水タンク２１３内の冷水に伝導するために冷水タンクを囲んでいてもよい。圧縮機冷却システムの復水器４０３は、加熱を行うために温水タンク２０３に浸されている。復水器４０３は、その熱を温水タンク２０３内の温水に伝導するために温水タンクの壁を囲んでいてもよい。復水器４０３は、温水タンク２０３から離れた位置に配置されていてもよく、その熱が温水タンクを加熱せずに空気中に分散されてもよい。水加熱装置内の加熱管１０７は省いてもよく、単に、圧縮機冷却システムの復水器４０３の熱を利用して、温水タンク内の水を加熱してもよい。
【００６９】
実施形態４
図８及び図９は、冷水と温水とを切り替え可能な電子式トイレの実施形態４の構造図及び管接続図である。実施形態１と異なり、電磁弁１０４及び電磁弁１１１は、水選択弁１１４に置き換えられている。水選択弁１１４は、冷水と温水との切り替えを行うために用いられる。水選択弁１１４の出口は、ブースタポンプ１０３に接続されている。また、管内の細菌を殺すために滅菌器１１５が追加されている。滅菌の必要がない場合、滅菌器は省いてもよい。滅菌器１１５は、水選択弁１１４とブースタポンプ１０３との間の管に配置されることが可能である。
【００７０】
図１４は、水選択弁１１４の構造を示す図である。開閉部品１１４．８は、原動機１１４．１で回転駆動されて、（図１４−１に示されるように）入口Ｂと出口Ｃとを接続させると共に入口Ａと出口Ｃとを分離させる、又は、（図１４−２に示されるように）入口Ｂと出口Ｃとを分離すると共に入口Ａと出口Ｃとを接続するように切り替える。開閉部品は、入口Ａ、入口Ｂ、及び出口Ｃを同時に接続するように回転することも可能である。また、入口Ａ及び入口Ｂの入口断面の大きさは、所望の温度に応じて調整可能であり、これによって入口Ａと入口Ｂとの流量比を調節して、出口Ｃの水温が設定要件を満たすようにすることが可能である。開閉部品は、柱の形、バタフライ弁のバタフライ板の形、又は、ボール弁のボールの形に構成することが可能である。
【００７１】
図１５は、水選択弁１１４の他の構造を示す図である。電磁石１１４．１０が、開閉部品１１４．１１を往復運動するように駆動させて、（図１５−１に示されるように）入口Ａと出口Ｃとを接続させると共に入口Ｂと出口Ｃとを分離させる、又は、（図１５−２に示されるように）入口Ａと出口Ｃと分離すると共に入口Ｂと出口Ｃとを接続するように切り替える。開閉部品は、入口Ａ、入口Ｂ、及び出口Ｃを同時に接続するように回転することも可能である。また、入口Ａ及び入口Ｂの入口断面の大きさは、所望の温度に応じて調整可能であり、これによって入口Ａと入口Ｂとの流量比を調節して、出口Ｃの水温が設定要件を満たすようにすることが可能である。図１５の電磁石１１４．１０を、カムを回転駆動する原動機と置き換えることによって、開閉部品１１４．１１が往復運動するように駆動してもよいし、ギアを駆動することによりラックを駆動する原動機と置き換えることによって、開閉部品１１４．１１を往復運動させてもよい。
【００７２】
無線操作器３０１には、２つの機能キー、すなわち、冷水の噴霧を制御するための冷水キー３０３、及び、冷水と温水とを交互に噴霧することを制御するための冷水／温水キー３０２が備えられている。無線操作器３０１の冷水キー３０３が押下されると、水選択弁１１４が冷水を通し、冷水が水噴霧洗浄器１０２から噴霧されることを可能にする。冷水／温水キー３０２が押下されると、まず、水選択弁１１４が冷水を通すステップ（ステップ１）を行い、その後、水選択弁１１４が温水を通すステップ（ステップ２）を行う。引き続き、ステップ１及びステップ２による循環動作を行って温水と冷水との迅速な入れ替えを実現し、水噴霧洗浄器１０２から冷水と温水とが交互に噴霧されることを可能にする。水の噴霧中は、ブースタポンプ１０３は、動作を続ける。
【００７３】
実施形態５
図１０及び図１１は、それぞれ、冷水と温水とを切り替え可能な電子式トイレの実施形態５を示す構造図及び管接続図である。実施形態１と異なり、冷水と温水とを切り替え可能な電子式トイレでは、電磁弁１０４及び電磁弁１１１は、ブースタポンプ１１６及びブースタポンプ１１９に置き換えられており、ブースタポンプ１０３は省かれ、逆止め弁１１７及び逆止め弁１１８が追加されている。また、管内の細菌を殺すために滅菌器１１５が追加されている。ブースタポンプ１１６は、動作すると、冷水タンク２１３内の冷水を引き出し、この冷水が逆止め弁１１７及び滅菌器１１５を通って、最終的に水噴霧洗浄器１０２から噴霧されるようにする。逆止め弁１１８は、冷水が管を介して温水タンク２０３に逆流しないようにするものである。ブースタポンプ１１９は、動作すると、温水タンク２０３内の温水を引き出し、温水が逆止め弁１１８及び滅菌器１１５を通って、最終的に水噴霧洗浄器１０２から噴霧されるようにする。逆止め弁１１７は、温水が管を介して冷水タンク２１３に逆流しないようにするものである。滅菌の必要がない場合は、滅菌器を省いてもよい。
【００７４】
無線操作器３０１には、２つの機能キー、すなわち、冷水の噴霧を制御するための冷水キー３０３、及び、冷水と温水とを交互に噴霧することを制御するための冷水／温水キー３０２が備えられている。無線操作器３０１の冷水キー３０３が押下されると、ブースタポンプ１１６が電源投入されて動作し、冷水が水噴霧洗浄器１０２から噴霧されることを可能にする。冷水／温水キー３０２が押下されると、まず、ブースタポンプ１１６が電源投入されて動作し、ブースタポンプ１１９の電源が停止されるステップ（ステップ１）を行い、その後、ブースタポンプ１１９が電源投入されて動作するステップ（ステップ２）を行う。引き続き、ステップ１及びステップ２による循環動作を行って温水と冷水との迅速な入れ替えを実現し、水噴霧洗浄器１０２から冷水と温水とが交互に噴霧されることを可能にする。
【００７５】
実施形態６
図１２及び図１３は、それぞれ、冷水と温水とを切り替え可能な電子式トイレの実施形態６の構造図及び管接続図である。実施形態１と異なり、放熱器２０２は、放熱器５００に置き換えられており、冷水継手２０９は省かれている。放熱器５００は、半導体冷却板２１０の加熱表面２１０．２に押し付けられており、循環水ポンプ１０９が、便座の水入口１０１ａに接続されている。便座の水出口１０１ｂは、温水タンクの水入口２０３ｂに接続されている。
【００７６】
便座１０１は、上述の各実施形態の図の出力管の一部として機能するが、この管は、便座１０１を貫通していなくてもよい。
【００７７】
実施形態７
図１６及び図１７は、それぞれ、冷水と温水とを切り替え可能な電子式トイレの実施形態７の構造図及び管接続図である。本実施形態は、実施形態６と以下の点において異なる。すなわち、実施形態６の循環水ポンプ１０９、温水タンクの水出口２０３ａと便座の水入口１０１ａとに接続された管、及び、便座の水出口１０１ｂと温水タンク２０３の水入口２０３ｂとを接続する管が省かれている点において異なる。これに加えて、これらの図の参照番号２０は、水道水等の外部冷水源を表している。
【００７８】
さらに、水流センサ０８及び滅菌器１１５が、水選択弁１１４とブースタポンプ１０３との間の管に配置されていてよい。
【００７９】
実施形態８
図１８及び図１９は、それぞれ、冷水と温水とを切り替え可能な電子式トイレの実施形態８の構造図及び管接続図である。本実施形態は、実施形態７の水冷却装置が省かれている点において実施形態７と異なる。冷水管１の水入口は、外部冷水源２０に直接接続されており、冷水管１の水出口は、水選択弁１１４の温水入口に接続されている。
【００８０】
本実施形態は、外部冷水源を使用して冷水を供給することを含み、これによって、製造コストを低減するが、冷水の温度を調節できないという欠点を有する。
【００８１】
実施形態９
図２０及び図２１は、それぞれ、冷水と温水とを切り替え可能な電子式トイレの実施形態９の構造図及び管接続図である。本実施形態は、実施形態８の水加熱装置が省かれている点において実施形態８と異なる。すなわち、温水管２の水入口は、外部温水源２２に直接接続されており、温水管２の水出口は、水選択弁１１４の冷水入口に接続されている。
【００８２】
本実施形態は、冷水及び温水を、外部冷水源及び外部温水源から別々に供給することによって、冷水を供給するために外部冷水源をそれぞれ使用することを含み、これによって、製造コストを低減するが、冷水及び温水の温度を調節できないという欠点を有する。
【００８３】
実施形態１０
図２２及び図２３は、それぞれ、冷水と温水とを切り替え可能な電子式トイレの実施形態１０の構造図及び管接続図である。本実施形態は、実施形態３と以下の点において異なる。すなわち、実施形態３の温水タンク２０３及び冷水タンク２１３は、温水生成器４０８及び冷水生成器４０５に置き換えられており、実施形態３の冷水タンクの水位スイッチ２１１及び温水タンクの水位スイッチ１０８が省かれている点において異なる。電磁弁１１１及び電磁弁１０４は、水選択弁１１４に置き換えられている。電磁弁１１１及び電磁弁１０４は、水入口弁４０６に置き換えられている。ブースタポンプ１０３は省かれている。水入口弁４０６は、外部に配置されていてもよい。
【００８４】
本実施形態は、冷水及び温水が、それぞれ、温水生成器４０８及び冷水生成器４０５により生成されることを含み、圧縮機４０１及び加熱管１０７の作用力は、センサ２１６及びセンサ２１５から受け取った温度と設定温度との間の差に応じて決定される。圧縮機４０１及び加熱管１０７の作用力は、温度差が大きいほど高い。冷水生成器４０５及び温水生成器４０８には、水位スイッチは備えられていない。むしろ、温水生成器及び冷水生成器は、タップの圧力によって水道水で満たされており、その後、水は、水選択弁に収束する。本実施形態は、ブースタポンプ１０３を備えておらず、水噴霧洗浄器１０２の動作水圧は、完全に、水圧に応じて決定される。
【００８５】
本実施形態は、水タンクユニットが設けられていないので場所が節約でき、水タンクがないので、水を貯蔵する必要も保温性を保つ必要もないので、エネルギーを節約できるという利点を有している。しかしながら、水道水の圧力が低い場合に、水噴霧洗浄器１０２の動作水圧が保証できないという欠点がある。
【００８６】
無線操作器３０１には、２つの機能キー、すなわち、冷水の噴霧を制御するための冷水キー３０３、及び、冷水と温水とを交互に噴霧することを制御するための冷水／温水キー３０２が備えられている。無線操作器３０１の冷水キー３０３が押下されると、水入口弁４０６が開放され、水選択弁１１４が冷水を通すと共に温水を遮断し、冷水が水噴霧洗浄器１０２から噴霧されることを可能にする。冷水／温水キー３０２が押下されると、水入口弁４０６が開放され、まず、水選択弁１１４が冷水を通すと共に温水を遮断するステップ（ステップ１）を行い、その後、水選択弁１１４が温水を通すと共に冷水を遮断するステップ（ステップ２）を行う。引き続き、ステップ１及びステップ２による循環動作を行って温水と冷水との迅速な入れ替えを実現し、水噴霧洗浄器１０２から冷水と温水とが交互に噴霧されることを可能にする。
【００８７】
他の態様では、本発明はまた、冷水と温水とを切り替え可能な電子式トイレの２つの制御方法を提供する。
【００８８】
第１の方法が適用可能な電子式トイレは、冷水を供給する冷水管１と、温水を供給する温水管２と、冷水管または温水管を制御して水を供給する切替装置（例えば、図１１に示されるような冷水管１に配置されたブースタポンプ１１６及び温水管２に配置されたブースタポンプ１１９、又は、図８、図９、図１２及び図１３、並びに図１６〜図２１に示さるような水選択弁１１４の背後に配置されたブースタ水ポンプ１０３、又は、図２２及び図２３に示されるような水入口弁）と、冷水管又は温水管からの水の供給を選択する水選択弁１１４と、水選択弁１１４によって選択された冷水又は温水で肛門を洗浄する水噴霧洗浄器と、水選択弁及び切替装置を制御するコントローラと、含む。
【００８９】
本発明の冷水と温水とを切り替え可能な電子式トイレの第１の制御方法は、以下の各ステップを含む。
ユーザからの洗浄命令を受信すると、前記コントローラが、前記冷水管から供給された冷水の温度を得るステップ
前記コントローラが、得られた冷水の温度に応じて、前記切替装置の開放時間及び閉鎖時間を決定するステップ
前記コントローラが、決定された前記切替の開放時間に応じて前記切替装置が開放されるように制御して、前記冷水管からの冷水が前記水噴霧洗浄器から噴霧されることを可能にするステップ
前記切替装置の開放時間が経過した後に、前記コントローラが、決定された前記切替装置の閉鎖時間に応じて前記切替装置の動作を停止させて、前記切替装置の閉鎖時間において冷水又は温水が前記水噴霧洗浄器から噴霧されないようにするステップ
【００９０】
前記コントローラが、得られた冷水の温度に応じて、前記切替装置の開放時間及び閉鎖時間を決定する前記ステップは、前記コントローラが、温度センサからの冷水温度の検出に関する情報に基づいて、冷水の温度を得るステップと、前記コントローラが、前記冷水の温度に対応する前記切替装置の開放時間及び閉鎖時間を、予め記憶された、水温、並びに、前記切替装置の開放時間及び閉鎖時間の対応関係を含む対応リストを調べることによって決定するステップと、を含む。
【００９１】
前記冷水の温度が低いほど、前記切替装置の開放時間及び閉鎖時間は短い。
【００９２】
好ましくは、前記切替装置を制御して、前記冷水の温度に対応する前記切替装置の開放時間及び前記切替装置の閉鎖時間に基づいて動作および停止を交互に行うことを複数回行った後に、前記コントローラが前記切替装置を制御して、前記冷水管からの水の供給を停止する。
【００９３】
好ましくは、冷水の温度は、０℃以上かつ４３℃以下である。
【００９４】
好ましくは、前記対応リストにおける、水温、並びに、前記切替装置の開放時間及び閉鎖時間の対応リストは、以下の通りである。
冷水の温度（℃）         ブースタポンプの増圧動作時     ブースタポンプの停止時間
間（Ｓ）                      （Ｓ）
０−７．９               ５±１０％                     ２±１０％
８−９．９               ６±１０％                     ３±１０％
１０−１１．９           ７±１０％                     ４±１０％
１２−１３．９           ８±１０％                     ５±１０％
１４−１５．９           ９±１０％                     ５±１０％
１６−１７．９           １０±１０％                   ５±１０％
１８−４３               １５±１０％                   ５±１０％
【００９５】
好ましくは、前記切替装置は、前記水選択弁の水出口と前記水噴霧洗浄器との間に管を介して接続されたブースタポンプであり、前記切替装置の開放時間は前記ブースタポンプの動作時間であり、前記切替装置の閉鎖時間は前記ブースタポンプの停止時間である。
【００９６】
第２の方法が適用可能な電子式トイレは、冷水を供給する冷水管１と、温水を供給する温水管２と、冷水管または温水管を制御して水を供給する切替装置（例えば、図１１に示されるような冷水管１に配置されたブースタポンプ１１６及び温水管２に配置されたブースタポンプ１１９、又は、図８、図９、図１２及び図１３、並びに図１６〜図２１に示さるような水選択弁１１４の背後に配置されたブースタ水ポンプ１０３、又は、図２２及び図２３に示されるような水入口弁）と、冷水管又は温水管からの水の供給を選択する水選択弁１１４と、水選択弁１１４によって選択された冷水又は温水で肛門を洗浄する水噴霧洗浄器と、水選択弁及び切替装置を制御するコントローラと、含む。
【００９７】
本発明の冷水と温水とを切り替え可能な電子式トイレの第２の制御方法は、以下の各ステップを含む。
ユーザからの肛門洗浄命令を受信すると、前記コントローラが前記切替装置を制御して、前記冷水管及び／又は前記温水管が水を供給することを可能にするステップ
前記コントローラが前記水選択弁を制御して、前記冷水管からの冷水及び前記温水管からの温水を交互に放出させることにより、前記水噴霧洗浄器が冷水及び温水を交互に噴霧するステップ
前記水選択弁が冷水及び温水を交互に放出することを複数回行った後に、前記コントローラが前記切替装置を制御して、前記冷水管及び前記温水管の水の供給を停止させるステップ
【００９８】
好ましくは、前記切替装置は、前記水選択弁の水出口と前記水噴霧洗浄器との間に管を介して接続されたブースタポンプである。
【００９９】
好ましくは、ユーザからの肛門洗浄命令を受信すると、前記コントローラが前記切替装置を制御して、前記冷水管及び／又は前記温水管が水を供給することを可能にする前記ステップは、前記肛門洗浄命令に従い、前記コントローラが、前記水選択弁を制御して前記冷水管から冷水を受容及び放出させると共に、前記洗浄器を制御して延伸させるステップと、前記洗浄器が延伸した後に、前記コントローラが、前記ブースタポンプに増圧動作を行わせ、前記冷水が前記水噴霧洗浄器を介して噴霧されるようにするステップと、を含む。
【０１００】
好ましくは、前記冷水管及び／又は前記温水管から水を供給している間に、前記コントローラが前記水選択弁を制御して、冷水及び温水を交互に放出させる前記ステップは、具体的には、
冷水が前記水噴霧洗浄器から噴霧されると、前記コントローラがタイマーを開始するステップと、
前記タイマーの時間満了情報に基づき、前記コントローラが前記水選択弁を制御して前記冷水管を分離すると共に前記温水管を接続して、前記温水管から温水が前記水噴霧洗浄器を介して噴霧されることを可能にするステップと、
温水が前記水噴霧洗浄器を介して噴霧されると、前記コントローラが前記タイマーを再び開始し、前記水選択弁を制御して前記冷水管からの冷水を受容及び放出させて、前記冷水が前記水噴霧洗浄器から噴霧されることを可能にするステップと、を含み、
これによって、冷水及び温水が前記水噴霧洗浄器を介して交互に噴霧される。
【０１０１】
好ましくは、前記冷水管によって水冷却装置からの冷水が供給される時に、前記コントローラが、冷水タンク内に設置された温度センサによって前記冷水タンク内の冷水の温度を検出し、検出結果に基づき、冷却器を制御して前記冷水タンク内の水を冷却する。
【０１０２】
好ましくは、前記コントローラが、検出結果に基づき、冷却器を制御して前記冷水タンク内の水を冷却することは、具体的には、
検出された冷水の温度が、第１の温度よりも低いかどうかを判定するステップと、
前記冷水の温度が前記第１の温度よりも低い場合に、前記冷却器の冷却動作を停止させるステップと、
前記冷水の温度が前記第１の温度よりも高い場合に、前記冷水の温度が第２の温度よりも高いかどうかを判定するステップと、
前記冷水の温度が前記第２の温度よりも低い場合に、前記冷却器の冷却動作を停止させるステップと、
前記冷水の温度が前記第２の温度よりも高い場合に、前記冷却器に冷却動作を行わせるステップと、を含む。
【０１０３】
好ましくは、第１の温度は、１０±１０％℃であり、第２の温度は１２±１０％℃である。
【０１０４】
本発明は、上述の実施形態および図面によって説明された内容に限定されず、本発明の技術的解決方法と同じ実質的内容を有する他の製品構造も全て、本発明の保護範囲に当てはまるものとする。
【図１】
0006730324.tif 000002
【図２】
0006730324.tif 000003
【図３】
0006730324.tif 000004
【図４】
0006730324.tif 000005
【図５】
0006730324.tif 000006
【図６】
0006730324.tif 000007
【図７】
0006730324.tif 000008
【図８】
0006730324.tif 000009
【図９】
0006730324.tif 000010
【図１０】
0006730324.tif 000011
【図１１】
0006730324.tif 000012
【図１２】
0006730324.tif 000013
【図１３】
0006730324.tif 000014
【図１４−１】
0006730324.tif 000015
【図１４−２】
0006730324.tif 000016
【図１５−１】
0006730324.tif 000017
【図１５−２】
0006730324.tif 000018
【図１６】
0006730324.tif 000019
【図１７】
0006730324.tif 000020
【図１８】
0006730324.tif 000021
【図１９】
0006730324.tif 000022
【図２０】
0006730324.tif 000023
【図２１】
0006730324.tif 000024
【図２２】
0006730324.tif 000025
【図２３】
0006730324.tif 000026